(57)【要約】 【課題】  簡単にアロマ水を摂取することが出来るストローを提供する。【解決手段】  内側筒１には下端から蛇腹部３より数ｍｍ下の位置まで切れ目（スリット）４が形成されている。この切れ目４は、内側筒１と外側筒２が同径であると、内側筒１に外側筒２を外挿できないため、切れ目４の部分で切り離された内側筒の側端を重ね合わせることで内側筒１を縮径させ、外側筒２が外挿できるようにする【選択図】    図３
2014200393.tif 000002
【特許請求の範囲】
【請求項１】
ストローの少なくとも下部を内側筒と外側筒からなる二重構造とし、前記内側筒の内側面に布、不織布、紙又はスポンジからなる液体保持部材が止着され、この液体保持部材にエッセンシャルオイル、香料またはこれらエッセンシャルオイルや香料を含んだキャリヤオイルが含浸していることを特徴とするストロー。
【請求項２】
請求項１に記載のストローにおいて、前記内側筒と外側筒とは同径とされ、内側筒には長さ方向に沿ったスリットが下端から所定位置まで形成され、このスリット箇所にて内側筒の一部が重なり合って縮径することで外側筒内に収納されることを特徴とするストロー。
【請求項３】
請求項１または２に記載のストローにおいて、前記キャリヤオイルに水と接触することで水素ガスを発生する粉末状水素ガス発生剤が混合されていることを特徴とするストロー。
【発明の詳細な説明】
【技術分野】
【０００１】
本発明はエッセンシャルオイルや香料を含んだ水を生成して飲用するためのストローに関する。
【背景技術】
【０００２】
特許文献１にはストロー内に粒状風味添加剤を充填し、例えばこのストローで牛乳を飲むと、風味添加剤が溶け出してミルクココアの味になる内容が開示されている。
【０００３】
特許文献２には、水素ガスなどを発生するストローが開示されている。このストローはストローの下部に仕切り壁を設け、この仕切り壁よりも下方のストローの内部にガス発生剤を充填し、前記仕切り壁よりも上方位置のストローの側壁に発生したガスを吸引するための穴を形成している。
【０００４】
特許文献３には、液体と接触することでガスを発生するガス発生剤を保持した筒体が下端内部に挿入されたストローが開示されている。このストローは前記筒体を断面非円形とすることで、ストロー内面との間に長さ方向に貫通する液流路が形成され、前記ガス発生剤は一部が前記筒体の内面に接触することで筒体内に保持されるとともに筒体内面との間にストローの長さ方向に貫通する気液混合流路が形成されている。
【先行技術文献】
【特許文献】
【０００５】
【特許文献１】特表２００１−５０２１７３号公報
【特許文献２】特許第５０６８３９２号
【特許文献３】特許第５１１１６７５号
【発明の開示】
【発明が解決しようとする課題】
【０００６】
特許文献１に開示されるストローはストローの内容積の殆んどに粒状風味添加剤を充填し、しかも粒状風味添加剤が口の中に入り込まないように、ストローの吸い口部分を一部の隙間を残して潰しているので、ストロー本来の機能である水を吸う機能が損なわれてしまう。
また、特許文献１にはエッセンシャルオイルなどの液体をストロー内に保持する手段が示されていない。
【０００７】
特許文献２に開示されるストローを製造するには、ガス発生剤を造形し、この造形したガス発生剤をストローの下端に詰め込む作業が必要になり、またストローの中間位置に仕切り壁を設けなければならず、製造に手間がかかる。
また、ストローの側壁に発生したガスを吸引穴よりもコップ内の水位が低くなると、水が吸いにくくなる問題がある。
更に、特許文献１と同様にエッセンシャルオイルなどの液体をストロー内に保持する手段が示されていない。
【０００８】
特許文献３に開示されるストローを製造するには、粉末状のガス発生剤を挿入保持するための断面非円形の筒体を別体として製作しなければならず、手間がかかる。更に、特許文献１と同様にエッセンシャルオイルなどの液体をストロー内に保持する手段が示されていない。
【課題を解決するための手段】
【０００９】
上記課題を解決するため、本願にあっては、ストローの少なくとも下部を内側筒と外側筒からなる二重構造とし、前記内側筒の内側面に布、不織布、紙又はスポンジからなる液体保持部材を止着し、この液体保持部材にエッセンシャルオイル、香料またはこれらエッセンシャルオイルや香料を含んだキャリヤオイルが含浸した構成とした。
【００１０】
前記内側筒と外側筒の径は、内側筒を外側筒内に挿入した際に内側筒外面と外側筒内面との間に大きな隙間が生じない径が好ましい。
尚、内側筒と外側筒の径を同径としてもよい。この場合は外側筒をいきなり内側筒に外挿することはできない。そこで、同径の場合には内側筒の下端から所定位置まで長さ方向に沿って切れ目（スリット）を入れればよい。切れ目を入れることで挿入の際に切れ目の部分で内側筒の側端部が重なり合い、内側筒の径が縮小して外側筒内に内側筒が収まる。
また、切れ目の上端部より上の部分は内側筒と外側筒とが同径であるが、ある程度の力で押し込むことで、外側筒の先端は拡径し、内側筒に対して圧入される。
【００１１】
前記キャリヤオイルには水と接触することで水素ガスなどを発生する粉末状ガス発生剤を混合してもよい。混合することで粉末状ガス発生剤の周囲がオイルでコーティングされ、水素ガスなどの発生を時間をかけてゆっくり行わせることができる。
【００１２】
前記キャリヤオイルに水と接触することで水素ガスを発生する粉末状水素ガス発生剤を付着させることも考えられる。
【発明の効果】
【００１３】
本発明に係るストローは、冷え性、肩こり、睡眠障害などに効果があるとされるアロマオイル（エッセンシャルオイル＋キャリヤオイル）や香料を水と共に簡単に摂取することができる。
また、本発明に係るストローは構造が極めてシンプルで作製しやすいため、安価に提供することが可能となる。
更に、内側筒と外側筒との境界部が目立たないため、外観的には通常の１本のストローと変わらず、使用に際して違和感がない。
【図面の簡単な説明】
【００１４】
【図１】本発明に係るストローの全体図
【図２】（ａ）は図１のＡ部の拡大図、（ｂ）は図１のＡ部の拡大図で外側筒を断面とした図
【図３】（ａ）は図１のＢ部の拡大図で外側筒を断面とした図、（ｂ）は内側筒の一部を破断した（ａ）と同様の図
【図４】図３（ａ）のＡ−Ａ方向断面図
【図５】別実施例を示す図
【図６】別実施例を示す図
【図７】別実施例を示す図
【図８】別実施例を示す図
【発明を実施するための最良の形態】
【００１５】
以下に本発明の実施例を説明する。
ストローはポリプロピレン製の内側筒１と同じくポリプロピレン製の外側筒２から構成される。図示例では内側筒１及び外側筒２ともに４．５ｍｍのものを選定した。また本実施例では内側筒１は外側筒２よりも長く、内側筒１の上端から約１／４の箇所に伸縮且つ折り曲げ可能な蛇腹部３が形成され、この蛇腹部３の下端に外側筒２の上端が位置している。
【００１６】
内側筒１には下端から蛇腹部３より数ｍｍ下の位置まで切れ目（スリット）４が形成されている。この切れ目４は図４に示すように、内側筒１と外側筒２が同径であると、内側筒１に外側筒２を外挿できないため、切れ目４の部分で切り離された内側筒の側端を重ね合わせることで内側筒１を縮径させ、外側筒２が外挿できるようにするためのものである。尚、内側筒１よりも外側筒２が大径の場合には、切れ目４は不要となる。
【００１７】
また、切れ目４の上端は蛇腹部３より数ｍｍ下の位置としている。切れ目４がなくなると内側筒１を縮径することができないが、外側筒２を更に押し込むことで外側筒２の先端が拡径せしめられ、内側筒１と外側筒２とは圧入により強固に一体化される。
【００１８】
内側筒１の下端の内側面には液体保持部材５がホチキス６などの機械的な手段または接着剤などによって止着されている。前記液体保持部材５としては例えば、布、不織布、紙又はスポンジなどが考えられる。そして、液体保持部材５には食品添加物として認められているエッセンシャルオイル、香料またはこれらエッセンシャルオイルや香料を含んだキャリヤオイルが含浸せしめられている。
【００１９】
以上において、ストロー下端を水につけると、エッセンシャルオイルや香料が水中に溶解し、また水素ガスなどのガス発生剤を含ませている場合には、同時に水素ガスなどのガスが発生する。そこで、使用者は水を摂取することで、気分が爽快になり、落ち着くなどの効果が発揮される。ガス発生剤をオイルに混合した場合、ガス発生剤を直接水に接触した場合に比較して、いきなり反応が終結せずに徐々に反応が進み、徐放性が発揮される
【００２０】
図５〜８は別実施例を示す図であり、図５に示す実施例にあっては、内側筒１に形成した切れ目４から斜めに分岐した切り込み７を形成し、この切り込み７に液体保持部材５を挟み込むことで止着している。この実施例ではホッチキス６を省略できる。
切り込み７については図６に示すように切れ目４と平行に形成し、切り込み７と切れ目４との間に液体保持部材５を挟み込んで保持してもよい。
【００２１】
また図７に示す実施例にあっては下端部に舌状部８を形成し、この舌状部８の表面に液体保持部材５を止着している。また図８に示す実施例にあっては内側筒１の下端部に半筒部９を形成し、この半筒部９の表面に液体保持部材５を止着している。
【００２２】
図７及び図８に示す実施例にあっては、切れ目４を形成していない。この場合は例えば内側筒１の直径を４．５ｍｍ、外側筒の直径を５．０ｍｍとすることで同径の場合に内側筒を縮径するための切れ目を形成する必要はない。しかしながら外側筒と内側筒とが分離するのを防止するため蛇腹部を有する外側筒を利用する。即ち蛇腹部の谷部の直径は略４．５ｍｍであるので、この谷部を利用して内側筒を外側筒に軽圧入することで、外側筒と内側筒とを一体化できる。
尚、蛇腹部以外の手段、例えばスペーサを利用して、内側筒を外側筒に軽圧入するようにしてもよい。
【産業上の利用可能性】
【００２３】
本発明に係るストローは、水以外のジュースなどを飲む場合にも利用することができる。
【符号の説明】
【００２４】
１…内側筒、２…外側筒、３……蛇腹部、４…切れ目、５…液体保持部材、６…ホッチキス、７…切り込み、８…舌状部、９…半筒部。
【図１】
2014200393.tif 000003
【図２】
2014200393.tif 000004
【図３】
2014200393.tif 000005
【図４】
2014200393.tif 000006
【図５】
2014200393.tif 000007
【図６】
2014200393.tif 000008
【図７】
2014200393.tif 000009
【図８】
2014200393.tif 000010